(57)【特許請求の範囲】
【請求項１】
移動局と、該移動局と通信可能な第１サーバとを有する無線通信システムであって、
前記移動局は、
前記移動局と第１サーバとの間に確立された通信路を用いて、所定のサービスの利用を、前記第１サーバに登録する登録部と、
前記登録部により前記サービスの利用が登録された後に、前記通信路を解放する第１制御部とを有し、
前記第１サーバは、
前記移動局に対する前記サービスの発生を検知する検知部と、
前記検知部により前記サービスの発生が検知された場合、前記サービスの発生を前記移動局に通知することを、第２サーバに要求する要求部とを有し、
前記移動局の第１制御部は、
前記要求部からの要求に応じて、前記第２サーバから前記移動局に対し、前記サービスの発生が通知されたことに伴い、前記第１制御部により解放された前記通信路を、再び確立することを特徴とする無線通信システム。
【請求項２】
前記第２サーバは、アプリケーションを前記移動局に提供するサーバであり、
前記移動局は、
前記サービスの発生の通知に併せて、前記移動局の保持する前記アプリケーションの起動が要求された場合、前記アプリケーションを起動する第２制御部を更に有することを特徴とする請求項１記載の無線通信システム。
【請求項３】
前記第２サーバは、前記移動局との間で前記通信路の確立及び解放を行うサーバであり、
前記第２サーバは、
前記要求部からの要求に応じて、前記サービスの発生を前記移動局に通知すると共に、前記第１制御部により解放された前記通信路を、再び確立する第３制御部を更に有することを特徴とする請求項１記載の無線通信システム。
【請求項４】
前記通信路は、音声制御用の通信路であることを特徴とする請求項１記載の無線通信システム。
【請求項５】
第１サーバと通信可能な移動局であって、
前記移動局と前記第１サーバとの間に確立された通信路を用いて、所定のサービスの利用を、前記第１サーバに登録する登録部と、
前記登録部により前記サービスの利用が登録された後に、前記通信路を解放すると共に、前記第１サーバが、前記移動局に対する前記サービスの発生を検知した場合に、前記第１サーバからの要求に応じて、第２サーバから前記移動局に対し、前記サービスの発生が通知されたことに伴い、解放された前記通信路を、再び確立する制御部と
を有することを特徴とする移動局。
【請求項６】
移動局と通信可能なサーバであって、
前記移動局と前記サーバとの間に確立された通信路を用いて、所定のサービスの利用が登録されると共に、前記通信路が解放された後、前記移動局に対する前記サービスの発生を検知する検知部と、
前記検知部により前記サービスの発生が検知された場合、前記サービスの発生を前記移動局に通知することを、前記サーバ以外の他のサーバに要求する要求部と
を有することを特徴とするサーバ。
【請求項７】
移動局が、
前記移動局と第１サーバとの間に確立された通信路を用いて、所定のサービスの利用を、前記第１サーバに登録し、
前記サービスの利用が登録された後に、前記通信路を解放し、
前記第１サーバが、
前記移動局に対する前記サービスの発生を検知し、
前記サービスの発生が検知された場合、前記サービスの発生を前記移動局に通知することを、第２サーバに要求し、
前記移動局が、
前記要求に応じて、前記第２サーバから前記移動局に対し、前記サービスの発生が通知されたことに伴い、解放された前記通信路を、再び確立する
ことを特徴とする無線通信方法。
【発明の詳細な説明】
【技術分野】
【０００１】
本発明は、無線通信システム、移動局、サーバ、及び無線通信方法に関する。
【背景技術】
【０００２】
従来、新しい無線通信方式として、３ＧＰＰ（3rd  Generation  Partnership  Project）で規格化されたＬＴＥ（Long  Term  Evolution）が普及しつつある。ＬＴＥでは、ＩＰ（Internet  Protocol）ベースのマルチメディアサービスとして、ＩＭＳ（Internet  protocol  Multimedia  Subsystem）を利用した音声サービスであるＶｏＬＴＥ（Voice  over  LTE）の提供が準備されつつある。ＶｏＬＴＥでは、一般データ用の通信路であるデフォルトベアラに加え、音声データの制御に用いる通信路であるＩＭＳ呼処理ＳＩＰ（Session  Initiation  Protocol）シグナリング用ベアラ（以下、「ＩＭＳシグナリングベアラ」と記す。）が使用される。【０００３】
上記各ベアラは、例えば、３ＧＰＰのTR23.854（Sec6.1.3.2.1）やTS23.203（Sec6.2.4）等において定義されたベアラである。ＩＭＳシグナリングベアラには、ユーザデータ通信用デフォルトベアラ（以下、単に「デフォルトベアラ」と記す。）とは異なり、専用の接続先網（ＡＰＮ：Access  Point  Name）が設けられる。このＡＰＮは、国際ローミング先の網において、現地の機関との緊急通信の確立を、ホーム網の介在無く可能とするために仕様化された。すなわち、無線通信システムは、ＡＰＮと移動局（ＵＥ：User  Equipment）との間に、上述のＩＭＳシグナリングベアラを常時設定することにより、移動局への着信サービスを提供している。
【先行技術文献】
【特許文献】
【０００４】
【特許文献１】国際公開第２００８／０９６５２７号
【発明の概要】
【発明が解決しようとする課題】
【０００５】
しかしながら、上述した技術は、高品質の音声通信が可能である反面、以下の様な問題点があった。例えば、無線通信システムは、ＩＭＳシグナリングベアラを維持するために、リソースを常時確保しなければならない。また、ＥＰＣ（Evolved  Packet  Core）とＩＭＳ呼処理サーバ（ＣＳＣＦ：Call  Session  Control  Function）との間に、アドレス変換装置（ＮＡＴ：Network  Address  Translator）がある場合、無線通信システムは、アドレス変換情報を維持するために、定期的なkeep  alive通信を行う。これにより、移動局宛の発信が無いにも拘らず、該移動局と基地局との間の無線リソースが消費されることとなる。【０００６】
開示の技術は、上記に鑑みてなされたものであって、移動局へのサービス提供に際し、リソースの消費を抑制することができる無線通信システム、移動局、サーバ、及び無線通信方法を提供することを目的とする。
【課題を解決するための手段】
【０００７】
上述した課題を解決し、目的を達成するために、本願の開示する無線通信システムは、一つの態様において、移動局と、該移動局と通信可能な第１サーバとを有する。前記移動局は、登録部と第１制御部とを有する。前記登録部は、前記移動局と第１サーバとの間に確立された通信路を用いて、所定のサービスの利用を、前記第１サーバに登録する。前記第１制御部は、前記登録部により前記サービスの利用が登録された後に、前記通信路を解放する。前記第１サーバは、検知部と要求部とを有する。前記検知部は、前記移動局に対する前記サービスの発生を検知する。前記要求部は、前記検知部により前記サービスの発生が検知された場合、前記サービスの発生を前記移動局に通知することを、第２サーバに要求する。前記移動局の第１制御部は、前記要求部からの要求に応じて、前記第２サーバから前記移動局に対し、前記サービスの発生が通知されたことに伴い、前記第１制御部により解放された前記通信路を、再び確立する。
【発明の効果】
【０００８】
本願の開示する無線通信システムの一つの態様によれば、移動局へのサービス提供に際し、リソースの消費を抑制することができるという効果を奏する。
【図面の簡単な説明】
【０００９】
【図１】図１は、ＩＭＳ制御システムの構成を示す図である。
【図２】図２は、ＵＥの機能的構成を示す図である。
【図３】図３は、ＰＣＲＦサーバの機能的構成を示す図である。
【図４】図４は、ＣＳＣＦサーバの機能的構成を示す図である。
【図５】図５は、ＵＥのハードウェア構成を示す図である。
【図６】図６は、ＰＣＲＦサーバのハードウェア構成を示す図である。
【図７】図７は、ＣＳＣＦサーバのハードウェア構成を示す図である。
【図８】図８は、ＩＭＳ制御システムの動作を説明するためのシーケンス図である。
【図９】図９は、ＣＳＣＦサーバの実行するＩＭＳサービス登録処理を説明するためのフローチャートである。
【図１０】図１０は、ＣＳＣＦサーバの実行するＩＭＳシグナリングベアラ解放状態記録処理を説明するためのフローチャートである。
【図１１】図１１は、ＣＳＣＦサーバの実行するＩＭＳサービス再開処理を説明するためのフローチャートである。
【図１２】図１２は、実施例１に係るＣＳＣＦサーバの実行するトークン記録処理を説明するためのフローチャートである。
【図１３】図１３は、実施例１に係るＣＳＣＦサーバの実行するアプリケーション起動要求処理を説明するためのフローチャートである。
【図１４】図１４は、ＰＣＲＦサーバの実行するＩＭＳセッション登録処理を説明するためのフローチャートである。
【図１５】図１５は、ＰＣＲＦサーバの実行するＩＭＳシグナリングベアラ解放処理を説明するためのフローチャートである。
【図１６】図１６は、実施例１に係るＵＥの実行するＩＭＳサービス登録処理を説明するためのフローチャートである。
【図１７】図１７は、実施例１に係るＵＥの実行するＩＭＳシグナリングベアラ確立処理を説明するためのフローチャートである。
【図１８】図１８は、実施例２に係るＩＭＳ制御システムの動作を説明するためのシーケンス図である。
【図１９】図１９は、実施例２に係るＣＳＣＦサーバの実行するＩＭＳシグナリングベアラ確立要求処理を説明するためのフローチャートである。
【図２０】図２０は、実施例２に係るＰＣＲＦサーバの実行するＩＭＳシグナリングベアラ確立処理を説明するためのフローチャートである。
【図２１】図２１は、実施例２に係るＵＥの実行するＩＭＳサービス登録処理を説明するためのフローチャートである。
【図２２】図２２は、実施例２に係るＵＥの実行するＩＭＳシグナリングベアラ確立処理を説明するためのフローチャートである。
【発明を実施するための形態】
【００１０】
以下に、本願の開示する無線通信システム、移動局、サーバ、及び無線通信方法の実施例を、図面を参照しながら詳細に説明する。なお、以下の実施例により本願の開示する無線通信システム、移動局、サーバ、及び無線通信方法が限定されるものではない。
【実施例１】
【００１１】
以下、本願の開示する一実施例に係るＩＭＳ制御システムの構成を説明する。ＩＭＳ制御システムは、無線通信方式としてＬＴＥが適用された無線通信システムである。図１は、ＩＭＳ制御システム１の構成を示す図である。図１に示す様に、ＩＭＳ制御システム１は、無線アクセス網Ｎ１内に、移動局としてのＵＥ１０と、基地局としてのｅＮＢ２０とを有する。また、ＩＭＳ制御システム１は、モバイルコア網Ｎ２内に、ＭＭＥ（Mobility  Management  Entity）／Ｓ−ＧＷ（Serving-GateWay）３０と、Ｐ−ＧＷ（Packet  data  network-GateWay）４０と、ＰＣＲＦ（Policy  and  Charging  Rules  Function）サーバ５０とを有する。更に、ＩＭＳ制御システム１は、ＣＳＣＦ（Call  Session  Control  Function）サーバ６０と、アプリケーションサーバ７０とを有する。なお、以下の説明では、ＭＭＥ／Ｓ−ＧＷ３０は、簡単のため、「ＭＭＥ３０」と記す。【００１２】
ＩＭＳ制御システム１では、ｅＮＢ２０とＭＭＥ３０とが有線接続されることで、無線アクセス網Ｎ１とモバイルコア網Ｎ２とが、相互に、各種信号やデータの送受信が可能な状態となっている。同様に、Ｐ−ＧＷ４０が、外部のパケット網であるＩＰ（Internet  Protocol）網Ｎ３と有線接続されることで、モバイルコア網Ｎ２とＩＰ網Ｎ３とが、相互に、各種信号やデータの送受信が可能な状態となっている。更に、ＰＣＲＦサーバ５０は、ＣＳＣＦサーバ６０を介して、ＩＰ網Ｎ３と有線接続され、その先には、アプリケーションサーバ７０が有線接続されている。これにより、ＵＥ１０は、ＣＳＣＦサーバ６０が、例えば、外部パケット網のＣＮ（Corresponding  Node）８０からＩＭＳサービス要求を受けた場合に、ｅＮＢ２０、ＣＳＣＦサーバ６０等の各上位装置との間で、相互に、各種信号やデータの送受信が可能である。【００１３】
以下、本願の開示する一実施例に係るＵＥ１０の構成を説明する。図２は、ＵＥ１０の機能的構成を示す図である。図２に示す様に、ＵＥ１０は、ネットワークＩＦ（Inter  Face）１１と、通信データ処理部１２と、移動網サービス制御部１３と、ユーザ情報管理部１４と、アプリケーションサービス制御部１５と、ＩＭＳアプリケーション部１６と、ユーザアプリケーション部１７とを有する。これら各構成部分は、一方向又は双方向に、信号やデータの入出力が可能な様に接続されている。【００１４】
ネットワークＩＦ１１は、ｅＮＢ２０との間で、各種信号やデータの送受信を行う。通信データ処理部１２は、ベアラの設定情報に基づき、データのルーティング及び転送用プロトコルに関する処理を行う。通信データ処理部１２は、無線アクセス手順メッセージ等の自局宛のシグナリング情報を認識し、該シグナリング情報を処理する他の機能部との間で、データの入出力を行う。移動網サービス制御部１３は、無線アクセス網Ｎ１及びモバイルコア網Ｎ２との制御シグナリングを終端すると共に、ベアラの設定や解放等の制御を行う。ユーザ情報管理部１４は、移動網サービス制御部１３を介して取得された、ユーザの位置や、ユーザの使用するベアラ等のユーザ情報を保持する。【００１５】
アプリケーションサービス制御部１５は、ＵＥ１０上で動作する全てのアプリケーションが利用可能な共通サービスを制御する。アプリケーションサービス制御部１５は、例えば、Notification  Serviceを提供する。ＩＭＳアプリケーション部１６は、ＩＭＳサービスを実現するアプリケーションである。ＩＭＳアプリケーション部１６は、無線アクセス網Ｎ１及びモバイルコア網Ｎ２を介して、ＣＳＣＦサーバ６０の通信アプリケーション、あるいは、外部パケット網のＣＮ８０の通信アプリケーションとの間で、制御データの送受信を行う。ユーザアプリケーション部１７は、ユーザの使用する通信アプリケーションである。ユーザアプリケーション部１７は、無線アクセス網Ｎ１及びモバイルコア網Ｎ２を介して、外部パケット網のＣＮ８０の通信アプリケーションとの間で、ユーザデータの送受信を行う。【００１６】
以下、本願の開示する一実施例に係るＰＣＲＦサーバ５０の構成を説明する。図３は、ＰＣＲＦサーバ５０の機能的構成を示す図である。図３に示す様に、ＰＣＲＦサーバ５０は、ネットワークＩＦ５１と、移動網制御部５２と、ユーザアプリケーションＩＦ（Inter  Face）処理部５３と、ポリシ制御情報保持部５４とを有する。これら各構成部分は、一方向又は双方向に、信号やデータの入出力が可能な様に接続されている。【００１７】
ネットワークＩＦ５１は、ネットワークＩＦに固有のＬ１〜Ｌ３プロトコルを終端すると共に、外部ノードとの間で、各種データの送受信を行う。移動網制御部５２は、ベアラの設定及び解放や、ＱｏＳ（Quality  of  Service）の設定変更等を行うため、移動網の制御シグナリングを終端する。ユーザアプリケーションＩＦ処理部５３は、ユーザアプリケーション部１７及び上位のサービス機構から、ベアラの設定及び解放の要求、あるいは、ＱｏＳ及び課金の制御の要求を受信する。また、ユーザアプリケーションＩＦ処理部５３は、これらの要求に応じて、上記サービス機構との間における制御シグナリングを終端する。ポリシ制御情報保持部５４は、ベアラの設定及び解放や、ＱｏＳ及び課金の制御に使用する制御情報を保持する。【００１８】
以下、本願の開示する一実施例に係るＣＳＣＦサーバ６０の構成を説明する。図４は、ＣＳＣＦサーバ６０の機能的構成を示す図である。図４に示す様に、ＣＳＣＦサーバ６０は、ネットワークＩＦ６１と、ＩＭＳシグナリング処理部６２と、ポリシ制御ＩＦ（Inter  Face）処理部６３と、ＩＭＳサービス情報保持部６４とを有する。これら各構成部分は、一方向又は双方向に、信号やデータの入出力が可能な様に接続されている。【００１９】
ネットワークＩＦ６１は、ネットワークＩＦに固有のＬ１〜Ｌ３プロトコルを終端すると共に、外部ノードとの間で、各種データの送受信を行う。ＩＭＳシグナリング処理部６２は、ＩＭＳサービスを提供するため、ＵＥ１０との間におけるＩＭＳ制御シグナリングを終端する。ポリシ制御ＩＦ処理部６３は、ベアラに対し、ＱｏＳや課金の制御を行うため、ＰＣＲＦサーバ５０との間における制御シグナリングを終端する。ＩＭＳサービス情報保持部６４は、ＩＭＳサービスに関する情報を加入者毎に保持する。【００２０】
続いて、ＵＥ１０、ＰＣＲＦサーバ５０、及びＣＳＣＦサーバ６０のハードウェア構成を説明する。図５は、ＵＥ１０のハードウェア構成を示す図である。図５に示す様に、ＵＥ１０は、ハードウェア的には、プロセッサ１０ａと、メモリ１０ｂと、ＲＦ（Radio  Frequency）回路１０ｃと、ＬＣＤ（Liquid  Crystal  Display）等の表示装置１０ｄとを有する。ＲＦ回路１０ｃは、アンテナＡを有する。ＵＥ１０のネットワークＩＦ１１は、例えば、ＲＦ回路１０ｃにより実現される。通信データ処理部１２と、移動網サービス制御部１３と、アプリケーションサービス制御部１５と、ＩＭＳアプリケーション部１６と、ユーザアプリケーション部１７とは、例えば、ＣＰＵ（Central  Processing  Unit）やＤＳＰ（Digital  Signal  Processor）等のプロセッサ１０ａにより実現される。ユーザ情報管理部１４は、例えば、ＲＡＭ（Random  Access  Memory)、ＲＯＭ（Read  Only  Memory)、フラッシュメモリ等のメモリ１０ｂにより実現される。【００２１】
図６は、ＰＣＲＦサーバ５０のハードウェア構成を示す図である。図６に示す様に、ＰＣＲＦサーバ５０においては、ハードウェア的には、ＣＰＵ５０ｂと、ＳＤＲＡＭ（Synchronous  Dynamic  Random  Access  Memory）５０ｃと、ＨＤＤ（Hard  Disk  Drive）５０ｄと、ＮＷ（NetWork）ボード５０ｅとが、スイッチ５０ａを介して、各種信号やデータの入出力が可能な様に接続されている。ＰＣＲＦサーバ５０のネットワークＩＦ５１は、例えば、ＮＷボード５０ｅによって実現される。移動網制御部５２とユーザアプリケーションＩＦ処理部５３とは、例えば、ＣＰＵ５０ｂによって実現される。ポリシ制御情報保持部５４は、例えば、ＳＤＲＡＭ５０ｃとＨＤＤ５０ｄとによって実現される。【００２２】
図７は、ＣＳＣＦサーバ６０のハードウェア構成を示す図である。図７に示す様に、ＣＳＣＦサーバ６０は、ハードウェア的には、上述したＰＣＲＦサーバ５０と同様の構成を有する。すなわち、ＣＳＣＦサーバ６０においては、ＣＰＵ６０ｂと、ＳＤＲＡＭ６０ｃと、ＨＤＤ６０ｄと、ＮＷボード６０ｅとが、スイッチ６０ａを介して、各種信号やデータの入出力が可能な様に接続されている。ＣＳＣＦサーバ６０のネットワークＩＦ６１は、例えば、ＮＷボード６０ｅによって実現される。ＩＭＳシグナリング処理部６２とポリシ制御ＩＦ処理部６３とは、例えば、ＣＰＵ６０ｂによって実現される。ＩＭＳサービス情報保持部６４は、例えば、ＳＤＲＡＭ６０ｃとＨＤＤ６０ｄとによって実現される。【００２３】
アプリケーションサーバ７０は、アプリケーション提供事業者（サードパーティ）が利用可能なプッシュ型のNotification  Service基盤として、ＯＳ（Operating  System）やＵＥの提供事業者により提供される。アプリケーションサーバ７０は、ＵＥの有するアプリケーションの起動、あるいは、該アプリケーションの使用する情報（例えば、パラメータ、アイテム等）がネットワーク側に存在することの通知を、ネットワーク側から行うことを可能とする。【００２４】
次に、実施例１におけるＩＭＳ制御システム１の動作を説明する。【００２５】
図８は、実施例１に係るＩＭＳ制御システム１の動作を説明するためのシーケンス図である。まずＳ１では、ＵＥ１０は、ＣＳＣＦサーバ６０との間に確立されたＩＭＳシグナリングベアラＢ２を用いて、ＣＳＣＦサーバ６０に対し、ＩＭＳサービス（例えば、ＩＰアドレス）の登録を行う。このとき、ＵＥ１０は、アプリケーションサーバ７０から事前に取得したＵＥ用アプリケーションのトークンを、ＣＳＣＦサーバ６０に送信し、ＣＳＣＦサーバ６０は、該トークンを保持する。Ｓ２では、ＣＳＣＦサーバ６０は、ＰＣＲＦサーバ５０に対し、ＩＭＳセッションの登録を行う。【００２６】
Ｓ３では、Ｓ１と同様に、ＵＥ１０は、アプリケーションサーバ７０との間に確立されたデフォルトベアラＢ１を用いて、アプリケーションサーバ７０に対し、ＩＭＳアプリケーション（例えば、アプリケーションの使用開始）の登録を行う。Ｓ４では、アプリケーションサーバ７０は、ＣＳＣＦサーバ６０に対し、ＩＭＳアプリケーションの登録を通知する。【００２７】
上記登録が完了すると、ＵＥ１０は、ＩＭＳシグナリングベアラＢ２を一旦解放し（Ｓ５）、ＰＣＲＦサーバ５０は、該ベアラの解放をＣＳＣＦサーバ６０に通知する（Ｓ６）。【００２８】
その後、ＣＳＣＦサーバ６０は、対向するＵＥやサーバ（例えば、ＣＮ８０）から発せられたＵＥ１０宛のＩＭＳサービス要求（例えば、ＳＩＰによる音声着信）を受信する（Ｓ７）。該受信に伴い、ＣＳＣＦサーバ６０は、ＵＥ１０が現時点でＩＭＳシグナリングベアラＢ２を確立していないＵＥであることを確認する。該確認処理は、ＣＳＣＦサーバ６０が、ＵＥ１０を含む各ＵＥのベアラ確立状態を、ＰＣＲＦサーバ５０から取得することで行う。【００２９】
ＣＳＣＦサーバ６０は、ＵＥ１０がＩＭＳシグナリングベアラＢ２を確立していないことを確認すると、上記トークンを用いて、ＵＥ１０に対するＩＭＳサービスの発生の通知（例えば、ＵＥ１０のアプリケーションの起動要求）をアプリケーションサーバ７０に要求する（Ｓ８）。該要求を受けたアプリケーションサーバ７０は、ＩＭＳサービスの発生通知を、上記トークンと併せて、ＵＥ１０宛に送信する（Ｓ９）。【００３０】
ＵＥ１０は、上記発生通知の受信により、ＩＭＳサービスの発生を検知すると、該ＩＭＳサービスを受けるためのアプリケーションを起動すると共に、ＰＣＲＦサーバ５０との間に、ＩＭＳシグナリングベアラＢ２を再び確立する（Ｓ１０）。Ｓ１１では、ＵＥ１０は、起動されたアプリケーションを用いて、ＩＭＳサービス（例えば、ＳＩＰ着信の音声通信）を再開する。なお、サービス終了後は、ＩＭＳシグナリングベアラＢ２は再び解放される。【００３１】
上述した様に、ＣＳＣＦサーバ６０は、ＵＥ１０宛のＩＭＳサービス要求の受信（例えば、ＳＩＰ着信）時に、アプリケーションサーバ７０のNotification  Service基盤を用いて、ＵＥ１０に、アプリケーションの起動及びＩＭＳサービスの登録を実行させる。これにより、ＵＥ１０は、ＩＭＳシグナリングベアラＢ２を常時維持しなくとも、ＩＭＳサービス（例えば、ＳＩＰ着信サービス）を享受することができる。従って、ＩＭＳ制御システム１は、ＩＭＳシグナリングベアラＢ２の常時維持に伴って生じる、通信リソースや電力の消費を抑制することができる。その結果、システムの効率的な運用が可能となる。【００３２】
次に、図９〜図１３を参照しながら、ＣＳＣＦサーバ６０の動作を説明する。図９は、ＣＳＣＦサーバ６０の実行するＩＭＳサービス登録処理を説明するためのフローチャートである。まず、ネットワークＩＦ６１が、ＩＭＳサービス登録の要求をＵＥ１０から受信すると（Ｔ１）、ＩＭＳシグナリング処理部６２は、ＩＭＳサービス登録処理の実行を開始する（Ｔ２）。Ｔ３では、ＩＭＳシグナリング処理部６２は、ＩＭＳサービス情報保持部６４を参照して、ＵＥ１０が、ＩＭＳシグナリングベアラ解放状態をサポートしているか否かを判定する。【００３３】
上記判定の結果、ＵＥ１０によるサポートが確認されると（Ｔ３；Ｙｅｓ）、ＩＭＳシグナリング処理部６２は、上記ＩＭＳサービス登録の要求への応答に対し、ＩＭＳシグナリングベアラ解放状態のサポート能力の表示を追加する（Ｔ４）。Ｔ５では、ＩＭＳシグナリング処理部６２は、ＰＣＲＦサーバ５０宛のＩＭＳセッション登録メッセージに対し、ＩＭＳシグナリングベアラ解放状態のサポート能力の表示を追加すると共に、ＩＭＳサービスの登録を実行する。【００３４】
一方、Ｔ３における判定の結果、ＵＥ１０によるサポートが確認されない場合（Ｔ３；Ｎｏ）には、ＩＭＳシグナリング処理部６２は、ネットワークＩＦ６１を介して、上記ＩＭＳサービス登録の要求への応答を、ＵＥ１０に返信する（Ｔ６）。その後、ＩＭＳシグナリング処理部６２は、ポリシ制御ＩＦ処理部６３を介して、ＰＣＲＦサーバ５０にＩＭＳセッションを登録する（Ｔ７）。【００３５】
図１０は、ＣＳＣＦサーバ６０の実行するＩＭＳシグナリングベアラ解放状態記録処理を説明するためのフローチャートである。Ｔ１１では、ネットワークＩＦ６１は、ＩＭＳシグナリングベアラＢ２の解放状態の通知をＰＣＲＦサーバ５０から受信する。Ｔ１２では、ポリシ制御ＩＦ処理部６３は、ＵＥ１０のサービス情報として、ＩＭＳサービス情報保持部６４に上記解放状態を記録させる。Ｔ１３では、ポリシ制御ＩＦ処理部６３は、ネットワークＩＦ６１を介して、ＰＣＲＦサーバ５０に対し、応答メッセージを返信する。【００３６】
図１１は、ＣＳＣＦサーバ６０の実行するＩＭＳサービス再開処理を説明するためのフローチャートである。Ｔ２１では、ネットワークＩＦ６１は、ＩＭＳサービス再開要求の待ち状態にあるＵＥ１０から、ＩＭＳサービスの再開要求を受信する。これに伴い、ＩＭＳシグナリング処理部６２は、ＵＥ１０に対するＩＭＳサービスの処理を再開する（Ｔ２２）。なお、Ｔ２２以降の処理は、従来のＩＭＳ制御システムによる処理と同様であるので、その説明は省略する。【００３７】
図１２は、実施例１に係るＣＳＣＦサーバ６０の実行するトークン記録処理を説明するためのフローチャートである。Ｔ３１では、ネットワークＩＦ６１は、ＩＭＳ呼処理シグナリングメッセージをＵＥ１０から受信する。次に、ＩＭＳシグナリング処理部６２は、Ｔ３１で受信されたメッセージが、ＩＭＳサービスの発生の通知をアプリケーションサーバ７０に要求するためのトークンを含むか否かの判定を行う（Ｔ３２）。該判定の結果、上記メッセージがトークンを含む場合（Ｔ３２；Ｙｅｓ）には、ＩＭＳシグナリング処理部６２は、受信されたトークンを、ＵＥ１０のサービス情報として、ＩＭＳサービス情報保持部６４に保持させる（Ｔ３３）。一方、Ｔ３２における判定の結果、上記メッセージがトークンを含まない場合（Ｔ３２；Ｎｏ）には、Ｔ３３の処理は省略される。なお、Ｔ３３以降の処理は、従来のＩＭＳ制御システムによる処理と同様であるため、その説明は省略する。【００３８】
図１３は、実施例１に係るＣＳＣＦサーバ６０の実行するアプリケーション起動要求処理を説明するためのフローチャートである。まず、ネットワークＩＦ６１が、ＩＭＳサービスの要求（例えば、ＵＥ１０宛の音声ＳＩＰ着信）をＣＮ８０から受信すると（Ｔ４１）、ＩＭＳシグナリング処理部６２は、上記要求に伴い接続を要求されたＵＥ１０が、ＩＭＳシグナリングベアラＢ２の解放状態にあるか否かを判定する（Ｔ４２）。【００３９】
上記判定の結果、ＵＥ１０がベアラ解放状態にあることが確認されると（Ｔ４２；Ｙｅｓ）、ＩＭＳシグナリング処理部６２は、ＵＥ１０から事前に取得したトークンを用いて、アプリケーションサーバ７０に対し、ＵＥ１０におけるＩＭＳアプリケーションの起動を要求する（Ｔ４３）。その後、ＩＭＳシグナリング処理部６２は、ＵＥ１０から発せられるＩＭＳサービス再開要求の待ち状態に移行する（Ｔ４４）。なお、Ｔ４２における判定の結果、ＵＥ１０がベアラ解放状態にないことが確認された場合（Ｔ４２；Ｎｏ）には、上述したＴ４３、Ｔ４４の各処理は実行されず、従来と同様の処理が実行される（Ｔ４５）。【００４０】
次に、図１４、図１５を参照しながら、ＰＣＲＦサーバ５０の動作を説明する。図１４は、ＰＣＲＦサーバ５０の実行するＩＭＳセッション登録処理を説明するためのフローチャートである。ＰＣＲＦサーバ５０のネットワークＩＦ５１が、ＣＳＣＦサーバ６０から、ＩＭＳセッション登録メッセージを受信すると（Ｕ１）、ユーザアプリケーションＩＦ処理部５３は、ＩＭＳセッションの登録処理を実行する（Ｕ２）。【００４１】
Ｕ３では、上記メッセージが、ＩＭＳシグナリングベアラ解放状態のサポート能力表示を含む場合、ユーザアプリケーションＩＦ処理部５３は、セッション情報として、上記解放状態のサポート能力有を示す情報を、ポリシ制御情報保持部５４に記録させる。その後、ユーザアプリケーションＩＦ処理部５３は、ＣＳＣＦサーバ６０に対し、上記ＩＭＳセッション登録メッセージに対する応答メッセージを返信する（Ｕ４）。【００４２】
図１５は、ＰＣＲＦサーバ５０の実行するＩＭＳシグナリングベアラ解放処理を説明するためのフローチャートである。ＰＣＲＦサーバ５０のネットワークＩＦ５１が、接続中のＵＥ１０から、ＩＭＳシグナリングベアラＢ２の解放要求を受信すると（Ｕ１１）、移動網制御部５２は、ＵＥ１０とＰＣＲＦサーバ５０との間に確立されたＩＭＳシグナリングベアラＢ２の解放処理を実行する（Ｕ１２）。【００４３】
Ｕ１３では、ＰＣＲＦサーバ５０の移動網制御部５２は、ＵＥ１０のデフォルトベアラＢ１が存在し、かつ、ＵＥ１０を収容するＣＳＣＦサーバ６０が、ＩＭＳシグナリングベアラＢ２の解放状態をサポートしているか否かの判定を行う。該判定の結果、何れの条件も満たす場合（Ｕ１３；Ｙｅｓ）には、移動網制御部５２は、ＵＥ１０とＰＣＲＦサーバ５０との間のＩＭＳシグナリングベアラＢ２が解放状態にあることを、ＣＳＣＦサーバ６０に通知する（Ｕ１４）。一方、少なくとも一方の条件を欠く場合（Ｕ１３；Ｎｏ）には、移動網制御部５２は、ＵＥ１０とＰＣＲＦサーバ５０との間のＩＭＳシグナリングベアラＢ２の終了を、ＣＳＣＦサーバ６０に通知する（Ｕ１５）。【００４４】
次に、図１６、図１７を参照しながら、ＵＥ１０の動作を説明する。図１６は、実施例１に係るＵＥ１０の実行するＩＭＳサービス登録処理を説明するためのフローチャートである。まず、ＵＥ１０のＩＭＳアプリケーション部１６は、ＩＭＳサービスの登録処理の実行を開始する（Ｖ１）。次に、ＩＭＳアプリケーション部１６は、アクセス先のＣＳＣＦサーバ６０から取得した情報を基に、ＣＳＣＦサーバ６０がＩＭＳシグナリングベアラ解放状態をサポートしているか否かの判定を行う（Ｖ２）。【００４５】
上記判定の結果、サポートが確認された場合（Ｖ２；Ｙｅｓ）、ＩＭＳアプリケーション部１６は、ＣＳＣＦサーバ６０にＩＭＳサービスを登録した後、アプリケーションサーバ７０に対し、ＩＭＳアプリケーションの登録を行う。これに伴い、ＩＭＳアプリケーション部１６は、ネットワークＩＦ１１を介して、アプリケーションサーバ７０から、トークンを取得する（Ｖ３）。Ｖ４では、アプリケーションサービス制御部１５は、Ｖ３で取得されたトークンをＣＳＣＦサーバ６０に送信した後、ＩＭＳシグナリングベアラＢ２を解放する。このとき、Ｖ３にてＩＭＳサービスの登録時にＣＳＣＦサーバ６０から取得された、サービスの享受に必要な情報は、ユーザ情報管理部１４に保持される。【００４６】
なお、Ｖ２における判定の結果、ＣＳＣＦサーバ６０が上記解放状態をサポートしていないことが確認された場合（Ｖ２；Ｎｏ）、ＩＭＳアプリケーション部１６は、上述したＶ３、Ｖ４の処理を行うことなく、従来のＩＭＳサービス登録処理を実行する（Ｖ５）。【００４７】
図１７は、実施例１に係るＵＥ１０の実行するＩＭＳシグナリングベアラ確立処理を説明するためのフローチャートである。Ｖ１１では、ＵＥ１０のネットワークＩＦ１１は、ＩＭＳアプリケーションの起動要求をアプリケーションサーバ７０から受信する。Ｖ１２では、ＩＭＳアプリケーション部１６は、上記起動要求に応じて、ＵＥ１０とＣＳＣＦサーバ６０との間に、ＩＭＳシグナリングベアラＢ２を再確立する。Ｖ１３では、ＩＭＳアプリケーション部１６は、ＩＭＳサービスの再開をＣＳＣＦサーバ６０に通知する。なお、Ｖ１３以降の処理は、従来のＩＭＳサービス手順と同様であるため、その説明は省略する。【００４８】
以上説明した様に、実施例１に係るＩＭＳ制御システム１は、ＵＥ１０と、ＵＥ１０と通信可能なＣＳＣＦサーバ６０とを有する。ＵＥ１０は、ネットワークＩＦ１１と移動網サービス制御部１３とを有する。ネットワークＩＦ１１は、ＵＥ１０とＣＳＣＦサーバ６０との間に確立されたＩＭＳシグナリングベアラＢ２を用いて、所定のサービス（例えば、ＩＭＳサービス）の利用を、ＣＳＣＦサーバ６０に登録する。移動網サービス制御部１３は、ネットワークＩＦ１１により上記サービスの利用が登録された後に、ＩＭＳシグナリングベアラＢ２を解放する。ＣＳＣＦサーバ６０は、ネットワークＩＦ６１とＩＭＳシグナリング処理部６２とを有する。ネットワークＩＦ６１は、ＵＥ１０に対する上記サービスの発生を検知する。ＩＭＳシグナリング処理部６２は、ネットワークＩＦ６１により上記サービスの発生が検知された場合、上記サービスの発生をＵＥ１０に通知することを、アプリケーションサーバ７０に要求する。ＵＥ１０の移動網サービス制御部１３は、ＩＭＳシグナリング処理部６２からの要求に応じて、アプリケーションサーバ７０からＵＥ１０に対し、上記サービスの発生が通知されたことに伴い、移動網サービス制御部１３により解放されたＩＭＳシグナリングベアラＢ２を、再び確立する。【００４９】
また、アプリケーションサーバ７０は、アプリケーションをＵＥ１０に提供するサーバであってもよい。ＵＥ１０は、アプリケーションサービス制御部１５を更に有するものとしてもよい。アプリケーションサービス制御部１５は、上記サービスの発生の通知に併せて、ＵＥ１０の保持する上記アプリケーションの起動が要求された場合、上記アプリケーションを起動するものとしてもよい。更に、ＩＭＳシグナリングベアラＢ２は、音声制御用の通信路であってもよい。【００５０】
上述した様に、アプリケーションサーバ７０は、ＣＳＣＦサーバ６０からの指示に従い、ＩＭＳサービスの発生をＵＥ１０に通知する。該通知には、ＵＥ１０がＩＭＳサービスを利用するためのアプリケーションの起動要求が含まれる。アプリケーションサーバ７０は、ＵＥ１０の保持するトークンを、ＣＳＣＦサーバ６０経由で事前に取得しているため、該トークンを用いることで、ＵＥ１０に対し、上記アプリケーションの起動を要求することができる。また、ＵＥ１０においては、発生を通知されたＩＭＳサービスを利用するためのアプリケーションを起動することで、再確立されたベアラを用いて、ＩＭＳサービスの利用（例えば、ＳＩＰ着信による音声通信）を開始することができる。
【実施例２】
【００５１】
次に、実施例２について説明する。実施例２に係るＩＭＳ制御システムは、図１に示した実施例１に係るＩＭＳ制御システムと同様の構成を有する。また、実施例２に係るＵＥの構成は、図２、図５に示した実施例１に係るＵＥの構成と同様である。更に、実施例２に係るＰＣＲＦサーバの構成は、図３、図６に示した実施例１に係るＰＣＲＦサーバの構成と同様である。また、実施例２に係るＣＳＣＦサーバの構成は、図４、図７に示した実施例１に係るＣＳＣＦサーバの構成と同様である。従って、実施例２では、実施例１と共通する構成要素には、同一の参照符号を用いると共に、その図示及び詳細な説明は省略する。実施例２が実施例１と異なる点は、ＩＭＳサービスの発生をＵＥ１０に通知する装置である。【００５２】
すなわち、実施例１では、アプリケーションサーバ７０が、ＩＭＳサービスの発生をＵＥ１０に通知する主体となったが、実施例２では、ＰＣＲＦサーバ５０がＩＭＳサービスの発生を通知する。より具体的には、実施例１では、ＣＳＣＦサーバ６０は、ＵＥ１０に対するＩＭＳサービスの発生を検知すると、アプリケーションサーバ７０に対して、上記発生のＵＥ１０への通知を要求するものとした。これに対し、実施例２では、ＵＥ１０に対するＩＭＳサービスの発生を検知したＣＳＣＦサーバ６０は、ＰＣＲＦサーバ５０に対して、該発生の通知を要求する。該要求を受けたＰＣＲＦサーバ５０は、ＵＥ１０との間にＩＭＳシグナリングベアラＢ２を確立し、上記ＩＭＳサービスの発生をＵＥ１０に通知する。以下においては、この様な実施例２に係るＩＭＳ制御システム１の動作を、図１８を参照しながら、実施例１との相違点を中心として説明する。【００５３】
図１８は、実施例２に係るＩＭＳ制御システム１の動作を説明するためのシーケンス図である。図１８は、実施例１に係る動作の説明において参照した図８と、Ｓ２８の処理を除き同様である。従って、共通するステップには、末尾が同一の参照符号を付すと共に、その詳細な説明は省略する。具体的には、図１８のステップＳ２１、Ｓ２２、Ｓ２５〜Ｓ２８、Ｓ３０、Ｓ３１の各処理は、図８に示したステップＳ１、Ｓ２、Ｓ５〜Ｓ８、Ｓ１０、Ｓ１１の各処理にそれぞれ対応する。但し、図１８のＳ２８では、図８のＳ８とは異なり、ＣＳＣＦサーバ６０は、ＰＣＲＦサーバ５０に対して、ＩＭＳサービス発生の通知を要求する。また、ＩＭＳシグナリングベアラＢ２の再確立処理は、実施例１では、ＩＭＳサービス発生の通知を受けたＵＥ１０側から実行するものとしたが、実施例２では、ＰＣＲＦサーバ５０側（ネットワーク側）からの確立が可能である。【００５４】
まず、実施例２に係るＣＳＣＦサーバ６０の動作を説明する。実施例２に係るＣＳＣＦサーバ６０の実行する処理の内、ＩＭＳサービス登録処理（図９参照）、ＩＭＳシグナリングベアラ解放状態記録処理（図１０参照）、及びＩＭＳサービス再開処理（図１１参照）は、実施例１における処理と同様である。従って、その図示及び詳細な説明は省略すると共に、以下、実施例２に係るＣＳＣＦサーバ６０に特有の処理であるＩＭＳシグナリングベアラ確立要求処理について、図１９を参照しながら説明する。【００５５】
図１９は、実施例２に係るＣＳＣＦサーバ６０の実行するＩＭＳシグナリングベアラ確立要求処理を説明するためのフローチャートである。まず、ネットワークＩＦ６１が、ＩＭＳサービスの要求（例えば、ＵＥ１０宛の音声ＳＩＰ着信）をＣＮ８０から受信すると（Ｘ４１）、ＩＭＳシグナリング処理部６２は、上記要求に伴い接続を要求されたＵＥ１０が、ＩＭＳシグナリングベアラＢ２の解放状態にあるか否かを判定する（Ｘ４２）。【００５６】
上記判定の結果、ＵＥ１０がベアラ解放状態にあることが確認されると（Ｘ４２；Ｙｅｓ）、ＩＭＳシグナリング処理部６２は、ＰＣＲＦサーバ５０に対し、ＵＥ１０との間にＩＭＳシグナリングベアラＢ２を確立することを要求する（Ｘ４３）。その後、ＩＭＳシグナリング処理部６２は、ＵＥ１０から発せられるＩＭＳサービス再開要求の待ち状態に移行する（Ｘ４４）。なお、Ｘ４２における判定の結果、ＵＥ１０がベアラ解放状態にないことが確認された場合（Ｘ４２；Ｎｏ）には、上述したＸ４３、Ｘ４４の各処理は実行されず、従来と同様の処理が実行される（Ｘ４５）。【００５７】
次に、実施例２に係るＰＣＲＦサーバ５０の動作を説明する。実施例２に係るＰＣＲＦサーバ５０の実行する処理の内、ＩＭＳセッション登録処理（図１４参照）、及びＩＭＳシグナリングベアラ解放処理（図１５参照）は、実施例１における処理と同様である。従って、その図示及び詳細な説明は省略すると共に、以下、実施例２に係るＰＣＲＦサーバ５０に特有の処理であるＩＭＳシグナリングベアラ確立処理について、図２０を参照しながら説明する。【００５８】
図２０は、実施例２に係るＰＣＲＦサーバ５０の実行するＩＭＳシグナリングベアラ確立処理を説明するためのフローチャートである。Ｙ１では、ＰＣＲＦサーバ５０のネットワークＩＦ５１は、ＣＳＣＦサーバ６０から、ＩＭＳサービス発生の通知要求を受信する。Ｙ２では、ユーザアプリケーションＩＦ処理部５３は、ＰＣＲＦサーバ５０とＵＥ１０と間のＩＭＳシグナリングベアラＢ２の確立処理を実行し、ネットワーク側からのベアラの確立を完了する。【００５９】
次に、実施例２に係るＵＥ１０の動作を説明する。以下、実施例２に係るＵＥ１０に特有の処理であるＩＭＳサービス登録処理、及びＩＭＳシグナリングベアラ確立処理について、図２１、図２２をそれぞれ参照しながら説明する。図２１は、実施例２に係るＵＥ１０の実行するＩＭＳサービス登録処理を説明するためのフローチャートである。まず、ＵＥ１０のＩＭＳアプリケーション部１６は、ＩＭＳサービスの登録処理の実行を開始する（Ｚ１）。次に、ＩＭＳアプリケーション部１６は、アクセス先のＣＳＣＦサーバ６０から取得した情報を基に、ＣＳＣＦサーバ６０がＩＭＳシグナリングベアラ解放状態をサポートしているか否かの判定を行う（Ｚ２）。【００６０】
上記判定の結果、サポートが確認された場合（Ｚ２；Ｙｅｓ）、ＩＭＳアプリケーション部１６は、ＣＳＣＦサーバ６０にＩＭＳサービスを登録した後、ＩＭＳシグナリングベアラＢ２を解放する（Ｚ４）。なお、ＩＭＳサービスの登録時にＣＳＣＦサーバ６０から取得された、サービスの享受に必要な情報は、ユーザ情報管理部１４に保持される。【００６１】
Ｚ２における判定の結果、ＣＳＣＦサーバ６０が上記解放状態をサポートしていないことが確認された場合（Ｚ２；Ｎｏ）、ＩＭＳアプリケーション部１６は、上述したＺ４の処理を行うことなく、従来のＩＭＳサービス登録処理を実行する（Ｚ５）。【００６２】
図２２は、実施例２に係るＵＥ１０の実行するＩＭＳシグナリングベアラ確立処理を説明するためのフローチャートである。Ｚ１１では、ＵＥ１０のネットワークＩＦ１１は、ＩＭＳシグナリングベアラＢ２の確立要求をＰＣＲＦサーバ５０から受信する。Ｚ１２では、移動網サービス制御部１３は、上記確立要求に応じて、ＵＥ１０とＰＣＲＦサーバ５０との間に、ＩＭＳシグナリングベアラＢ２を確立する。Ｚ１３では、移動網サービス制御部１３は、Ｚ１２で確立されたＩＭＳシグナリングベアラＢ２を用いて、ＩＭＳサービスの再開をＣＳＣＦサーバ６０に通知する。なお、Ｚ１３以降の処理は、従来のＩＭＳサービス手順と同様であるため、その説明は省略する。【００６３】
以上説明した様に、実施例２に係るＩＭＳ制御システム１は、ＵＥ１０と、ＵＥ１０と通信可能なＣＳＣＦサーバ６０とを有する。ＵＥ１０は、ネットワークＩＦ１１と移動網サービス制御部１３とを有する。ネットワークＩＦ１１は、ＵＥ１０とＣＳＣＦサーバ６０との間に確立されたＩＭＳシグナリングベアラＢ２を用いて、所定のサービス（例えば、ＩＭＳサービス）の利用を、ＣＳＣＦサーバ６０に登録する。移動網サービス制御部１３は、ネットワークＩＦ１１により上記サービスの利用が登録された後に、ＩＭＳシグナリングベアラＢ２を解放する。ＣＳＣＦサーバ６０は、ネットワークＩＦ６１とＩＭＳシグナリング処理部６２とを有する。ネットワークＩＦ６１は、ＵＥ１０に対する上記サービスの発生を検知する。ＩＭＳシグナリング処理部６２は、ネットワークＩＦ６１により上記サービスの発生が検知された場合、上記サービスの発生をＵＥ１０に通知することを、ＰＣＲＦサーバ５０に要求する。ＵＥ１０の移動網サービス制御部１３は、ＩＭＳシグナリング処理部６２からの要求に応じて、ＰＣＲＦサーバ５０からＵＥ１０に対し、上記サービスの発生が通知されたことに伴い、移動網サービス制御部１３により解放されたＩＭＳシグナリングベアラＢ２を、再び確立する。【００６４】
また、ＰＣＲＦサーバ５０は、ＵＥ１０との間でＩＭＳシグナリングベアラＢ２の確立及び解放を行うサーバであってもよい。ＰＣＲＦサーバ５０は、移動網制御部５２を更に有するものとしてもよい。移動網制御部５２は、ＣＳＣＦサーバ６０のＩＭＳシグナリング処理部６２からの要求に応じて、ＩＭＳサービスの発生をＵＥ１０に通知すると共に、移動網サービス制御部１３により解放されたＩＭＳシグナリングベアラＢ２を、再び確立するものとしてもよい。【００６５】
実施例２に係るＩＭＳ制御システム１によれば、ＵＥ１０が、ＩＭＳシグナリングベアラＢ２を常時維持しなくとも、ＩＭＳサービス（例えば、ＳＩＰ着信サービス）を享受することができる。従って、ＩＭＳ制御システム１は、ＩＭＳシグナリングベアラＢ２の常時維持に伴って生じる、通信リソースや電力の消費を抑制することができる。その結果、システムの効率的な運用が可能となる。特に、実施例２に係るＩＭＳ制御システム１では、実施例１と比較して、ＵＥ１０の処理するメッセージが少なくて済む。従って、実施例２に係るＩＭＳ制御システム１は、移動局への負荷を抑制しつつ、実施例１と同様の効果を得ることができる。【００６６】
なお、上記各実施例では、ＵＥとして、携帯電話、スマートフォン、ＰＤＡ（Personal  Digital  Assistant）等の移動局を想定して説明した。しかしながら、本発明は、移動局に限らず、ＰＣＲＦサーバ５０との間で、各種ベアラの確立及び解放が可能な様々な通信機器に対して適用可能である。【００６７】
また、ＩＭＳ制御システム１の各構成要素は、必ずしも物理的に図示の如く構成されていることを要しない。すなわち、各装置の分散・統合の具体的態様は、図示のものに限らず、その全部又は一部を、各種の負荷や使用状況等に応じて、任意の単位で機能的又は物理的に分散・統合して構成することもできる。例えば、ＵＥ１０の移動網サービス制御部１３とアプリケーションサービス制御部１５、あるいは、ＣＳＣＦサーバ６０のＩＭＳシグナリング処理部６２とポリシ制御ＩＦ処理部６３とをそれぞれ１つの構成要素として統合してもよい。反対に、ＵＥ１０のアプリケーションサービス制御部１５に関し、取得されたトークンをＣＳＣＦサーバ６０に送信する部分と、ＩＭＳシグナリングベアラＢ２を解放する部分とに分散してもよい。また、ポリシ制御ＩＦ処理部６３に関し、ＩＭＳシグナリングベアラＢ２の解放状態をＩＭＳサービス情報保持部６４に記録させる部分と、ＰＣＲＦサーバ５０に応答メッセージを送信する部分とに分散してもよい。更に、メモリ１０ｂ、ＨＤＤ５０ｄ、ＨＤＤ６０ｄを、それぞれＵＥ１０、ＰＣＲＦサーバ５０、ＣＳＣＦサーバ６０の外部装置として、ネットワークやケーブル経由で接続する様にしてもよい。【００６８】
更に、上記説明では、各実施例毎に個別の構成、及び動作を説明した。しかしながら、１つのＩＭＳ制御システム１が、各実施例１、２に特有の機能を併せて有するものとしてもよい。例えば、ＣＳＣＦサーバ６０が、アプリケーションサーバ７０に対し、ＩＭＳサービス発生の通知を要求すると共に、ＰＣＲＦサーバ５０に対しても、ＩＭＳサービス発生の通知を要求する機能を併有するものとしてもよい。
【符号の説明】
【００６９】
１  ＩＭＳ制御システム
１０  ＵＥ
１０ａ  プロセッサ
１０ｂ  メモリ
１０ｃ  ＲＦ回路
１０ｄ  表示装置
１１  ネットワークＩＦ
１２  通信データ処理部
１３  移動網サービス制御部
１４  ユーザ情報管理部
１５  アプリケーションサービス制御部
１６  ＩＭＳアプリケーション部
１７  ユーザアプリケーション部
２０  ｅＮＢ
３０  ＭＭＥ／Ｓ−ＧＷ
４０  Ｐ−ＧＷ
５０  ＰＣＲＦサーバ
５０ａ  スイッチ
５０ｂ  ＣＰＵ
５０ｃ  ＳＤＲＡＭ
５０ｄ  ＨＤＤ
５０ｅ  ＮＷボード
５１  ネットワークＩＦ
５２  移動網制御部
５３  ユーザアプリケーションＩＦ処理部
５４  ポリシ制御情報保持部
６０  ＣＳＣＦサーバ
６０ａ  スイッチ
６０ｂ  ＣＰＵ
６０ｃ  ＳＤＲＡＭ
６０ｄ  ＨＤＤ
６０ｅ  ＮＷボード
６１  ネットワークＩＦ
６２  ＩＭＳシグナリング処理部
６３  ポリシ制御ＩＦ処理部
６４  ＩＭＳサービス情報保持部
７０  アプリケーションサーバ
Ａ  アンテナ
Ｂ１  デフォルトベアラ
Ｂ２  ＩＭＳシグナリングベアラ
Ｎ１  無線アクセス網
Ｎ２  モバイルコア網
Ｎ３  ＩＰ網
【図１】
0005896040.tif 000002
【図２】
0005896040.tif 000003
【図３】
0005896040.tif 000004
【図４】
0005896040.tif 000005
【図５】
0005896040.tif 000006
【図６】
0005896040.tif 000007
【図７】
0005896040.tif 000008
【図８】
0005896040.tif 000009
【図９】
0005896040.tif 000010
【図１０】
0005896040.tif 000011
【図１１】
0005896040.tif 000012
【図１２】
0005896040.tif 000013
【図１３】
0005896040.tif 000014
【図１４】
0005896040.tif 000015
【図１５】
0005896040.tif 000016
【図１６】
0005896040.tif 000017
【図１７】
0005896040.tif 000018
【図１８】
0005896040.tif 000019
【図１９】
0005896040.tif 000020
【図２０】
0005896040.tif 000021
【図２１】
0005896040.tif 000022
【図２２】
0005896040.tif 000023